(57)【特許請求の範囲】
【請求項１】
建物のガラスサッシュウオールにおいて街路から通行人の目線に目立つ部位に、広告ボードに相当する大きさ、形状、深さの凹部が建物の上下に異なる階に亘る位置に区画して形成され、
前記凹部の周側面及び奥面は室内側を胴縁で補強した耐火ボードで形成されており、
前記凹部へ嵌め込んだ広告ボードの前面と、建物のガラスサッシュウオールの表面部とはほぼ面一に形成され、前記の胴縁へ取付け固定されていることを特徴とする、建物のガラスサッシュウオールに一体化した先付けの広告構造。
【請求項２】
建物のガラスサッシュウオールに形成した前記凹部よりも室内側の位置に、同凹部へ取り付けた広告ボードを引き立たせる色彩の内壁を設けていることを特徴とする、請求項１に記載した建物のガラスサッシュウオールに一体化した先付けの広告構造。
【発明の詳細な説明】
【０００１】
【発明の属する技術分野】
この発明は、主として繁華街や交通繁多な場所に位置し、通行人等の目につき易い建物の壁面を有効活用する広告の技術分野に属し、更に云えば、建物のガラスサッシュウオールに一体化した先付けの広告構造に関する。
【０００２】
【従来の技術】
繁華街や交通繁多な場所に位置し、通行人等の目につき易い建物を広告に利用する場合に得られる広告料収入は莫大な額となり、建物所有者にとって大きな魅力になっている。
【０００３】
ところが従来、建物を利用した広告は、屋上に広告塔を立てるとか、壁面に沿って屋上から垂れ幕を垂らす、或いは建物壁面にテレビモニター画面を取り付ける等々のいわゆる後付け手法が実施されているにすぎない。
【０００４】
【本発明が解決しようとする課題】
要するに、従来の建物を利用した広告は、必要に応じて広告媒体を適当に選んだ場所に設置する、いわゆる後付け手法が便宜的に実施されているにすぎない。したがって、建物所有者が得られる広告料収入も、広告希望者が現れたときに契約が成立すれば実現する程度の不定期、不確かなものであり、予算を立てにくいものである。
【０００５】
しかも後付けであるが故に本来建物の意匠設計とはミスマッチングデザインの広告媒体を設置する他ないのが実情である。例えば屋上に広告塔を立てる手法は、建物の意匠には余計な付加施設の観を否めないし、なによりも通行人の目線には位置が高すぎて見にくいのが欠点である。垂れ幕は室内側の人から見ると視界を妨げる邪魔物が風に吹かれてふらふら動いているにすぎず、屋外の通行人から見ても風に吹かれた垂れ幕がだらしなく捩れたりダラリと垂れ下がっていて見にくい。しかも、高低差がありすぎて広告効果に疑問があるほか、建物の外観意匠を悪くする。建物壁面に取り付けたテレビモニター画面は、壁面からかなり大きく突き出た後付け施設になり、取って付けた物という観を否めない。
【０００６】
本発明の目的は、建物の外観意匠との一致、調和を考慮して予め広告場所を壁面に先取りして確保し、広告媒体を先付けして建物の竣工当初から広告料収入の根拠を設けると共に、建物意匠に一体化した広告構造によって建物の外観を損ねることなく、しかも目線にも良く人目を引き、広告効果が大きい構成に改良工夫した、建物のガラスサッシュウオールに一体化した先付けの広告構造を提供することである。
【０００７】
【課題を解決するための手段】
上述の課題を解決するための手段として、請求項１に記載した発明に係る建物のガラスサッシュウオールに一体化した先付けの広告構造は、
建物１のガラスサッシュウオール２において街路から通行人の目線に目立つ部位に、広告ボード３に相当する大きさ、形状、深さの凹部４が建物１の上下に異なる階に亘る位置に区画して形成され、
前記凹部４の周側面及び奥面は室内側を胴縁７で補強した耐火ボード５、６で形成されており、
前記凹部４へ嵌め込んだ広告ボード３の前面と、建物のガラスサッシュウオール２の表面部とはほぼ面一に形成され、前記の胴縁７へ取付け固定されていることを特徴とする。
【０００８】
請求項２記載の発明は、請求項１に記載した建物のガラスサッシュウオールに一体化した先付けの広告構造において、
建物１のガラスサッシュウオール２に形成した前記凹部４よりも室内側の位置に、同凹部４へ取り付けた広告ボード３を引き立たせる色彩の内壁２１を設けていることを特徴とする。
【００１０】
【発明の実施の形態】
図１は、請求項１に記載した発明の実施形態として、建物１のガラスサッシュウオール２において街路の通行人等に良く目立つ部位、即ち、通行人の目線に丁度良い高さ範囲で、水平方向の拡がりも良い部位を選んで、広告ボード３の設置に相当な大きさ、形状、深さの凹部を区画して形成した一例を示している。
因みに建物１のガラスサッシュウオール２へ先付けの広告構造を設ける意義は、サッシュウオール２自体が意匠的に優れた見栄えの良さを有する上に、後記するように鉄骨構造体を基礎として構築されており、先付けの広告構造を設ける工事が容易だからである。また、後述するように室内側の位置に、広告ボード３を引き立たせる色彩の内壁を設置できるからである。
【００１１】
図１の広告ボード３は、建物１のガラスサッシュウオール２において、高さ方向には同建物の２階から３階に及ぶ高さ（一例として６．７ｍぐらい）、水平方向には約３ピッチ分のガラスサッシュにまたがる幅寸（約５ｍぐらい）の縦長の長方形状とされている。広告ボード３を設置する凹部４の深さは、一例として５００mmぐらいである。
【００１２】
図２と図３は、前記広告ボード３を設置する凹部４の具体的な構造を示している。凹部４の周側面及び奥面はそれぞれ耐火ボード５、６で形成されている。各耐火ボード５、６は、その室内側（建物側）に沿って配置した胴縁７へ要所要所をボルト止めするなどして強固に補強して組み立てられている。前記耐火ボード５、６で凹部４の周側面及び奥面を形成する理由は、耐火性能を保持させるためである。前記胴縁７はまた、その内側に配置された鉄骨構造体８と要所を繋いで組み立てられている。窓側に沿って立てた鉄骨構造体８の前面にカットティー９を取り付けてガラスサッシュウオール２が構築されている。図３中の符号２２は建物の３階フロアの床スラブを指している。
【００１３】
前記凹部４へ嵌め込んだ広告ボード３は、具体的に図示することまでは省略したが、凹部４と同形、同大で、凹部４の深さと等しい厚さ寸法の版状体に鉄骨部材をトラス構造等に組んで強固な構造体とされている。そして、図４に示すように、前記鉄骨で組み立てた版状体の前面部に、不燃性で耐候性にも優れた材質で広告文や写真等を印刷などで表示したベースシート１０をネジ式のクランプ機構１１により着脱可能な構造で、十分に張力をかけてピンと張っている。図４中の符号１２は額縁と通称されるステンレス鋼板製の外装材を示している。具体的に図示することは省略したが、広告ボード３には前記広告文や写真等を表示したベースシート１０を夜間に背後から照らして鮮明に表示させる照明や、音響の器具及び電気配線並びに建物側との電気接続の器具等々が一体的に設備されている。
【００１４】
上記構成の広告ボード３は、上記凹部４内へ嵌め込むと同時に、建物内部側から、前記の胴縁７などを利用して、具体的には図５、図６に例示したようなボルト止め等の手段で要所要所を強固に取付け固定される。
【００１５】
図５は、上記の胴縁７に固定した横材１３にアングル形状のブラケット１４を高張力ボルト１５で固定し、このブラケット１４に当接させる広告ボード３の鉄骨３ａをやはり高張力ボルト１６で締め付け固定した構成を示す。
【００１６】
図６は、同じく胴縁７に水平方向にボルトで取り付けたファスナー１７へ広告ボード３の鉄骨３ｂをやはり高張力ボルト１８で締め付け固定した構成を示す。図６はまた、広告ボード３と耐火ボード６との隙間にバックアップ材を兼ねたコーキング１９を設置して雨仕舞い処理も同時に行った構造を示している。雨仕舞い処理にコーキング１９などを使用する構成は図２にも示している。
【００１７】
図３には、凹部４の下辺部にやはりステンレス鋼板製の額縁２０を取り付けて雨仕舞い処理を行った構成を示している。
【００１８】
本発明の特徴は、上記した構成により建物１のガラスサッシュウオール２の一部に先付けして一体化した広告ボード３を、同ガラスサッシュウオール２に形成した前記凹部４内へ嵌め込んだ場合に、広告ボード３の前面と、建物１のガラスサッシュウオール２の表面部とは実質的にほぼ面一に形成され、これを外部から見たときは正に一致して調和のとれた一体化を感得できることである（図２、図３を参照）。建物１の外観意匠と広告ボード３との一体感があり、広告の注目度が上がるので、広告効果が一層高まる訳である。
【００１９】
更に尚、広告の効果を高める手段として、本発明の場合には、建物１のガラスサッシュウオール２の透視機能を無視するべく、前記凹部４（に設置した広告ボード３）よりも室内側の位置（建物内部）に、広告ボード３の存在感を引き立たせる色彩の内壁２１を背景として設けていることを特徴とする（請求項２記載の発明）。前記の内壁２１は構造的なものである必要はなく、垂れ幕の様なものであってもよい。
【００２０】
【本発明が奏する効果】
請求項１、２に記載した発明に係る建物のガラスサッシュウオールに一体化した先付けの広告構造は、基本的に建物の外観意匠との一致、調和を考慮しており、通行人などの目線に最も優れた場所を予め広告場所として建物のガラスサッシュウオールの一部分に先取りして確保し、広告媒体を先付けして建物の竣工当初から広告料収入の根拠を設ける。そして、建物の外観意匠に一体化した広告構造によって建物の美観を損ねることなく、広告自体が人目を引くものとし、広告効果が大きい構成に改良工夫したので、街路との調和を図りつつ広告効果及び経済的効果を高めることに寄与するのである。
【図面の簡単な説明】
【図１】本発明に係る広告構造を実施した建物の斜視図である。
【図２】図１のII−II線矢視の断面図である。
【図３】図２のIII−III線矢視の断面図である。
【図４】広告ボードの一部を拡大した断面図である。
【図５】広告ボードの取付け手段を示した説明図である。
【図６】広告ボードの取付け手段の異なる例を示した説明図である。
【符号の説明】
１      建物
２      ガラスサッシュウオール
３      広告ボード
４      凹部
５、６  耐火ボード
７      胴縁
２１    内壁
【図１】
0004647075.tif 000002
【図２】
0004647075.tif 000003
【図３】
0004647075.tif 000004
【図４】
0004647075.tif 000005
【図５】
0004647075.tif 000006
【図６】
0004647075.tif 000007